(57)【要約】  光記憶媒体２０は、第１のデータ層２１（たとえばブルーレイ（ＢＤ）データ層）を含んでいる。加えて、光記憶媒体２０は、第２のデータ層２３（たとえばＤＶＤデータ層）も含んでいる。第２のデータ層２３は、第３の層２７を用いて基板２５に結合されている。第３の層２７は、反応層を兼ねた接着層を含んでいる。反応層に含まれる反応性物質は、第２の層２３に含まれるデータに、限られた寿命を与えるべく作用する。第２のデータ層２３（すなわち限られた寿命を有する層）は、第１のデータ層２１に含まれているデータの少なくとも一部へのアクセスをコントロールするための、アクセスデータを含んでいる。こうして、ＢＤ層へのアクセスを、限られた寿命を有する別個のＤＶＤ層によってコントロールすることができる。
2009516315.tif 000002
【特許請求の範囲】
【請求項１】
第１のデータ層と、
限られた期間のみアクセス可能とされている第２のデータ層とを含み、
前記第２のデータ層は、前記第１のデータ層の少なくとも一部へのアクセスをコントロールするための、アクセスデータを記憶するように構成されていることを特徴とする光記憶媒体。
【請求項２】
前記アクセスデータが、前記第１のデータ層に記憶されている全データへのアクセスをコントロールするものであることを特徴とする請求項１記載の光記憶媒体。
【請求項３】
前記第２のデータ層をカバーする反応層をさらに含み、
前記反応層は、前記第２のデータ層へのアクセスが可能な前記限られた期間を規定するために設けられていることを特徴とする請求項１または２記載の光記憶媒体。
【請求項４】
前記第２のデータ層へのアクセスが可能な前記限られた期間を、コントロールする手段をさらに含んでいることを特徴とする請求項３記載の光記憶媒体。
【請求項５】
前記コントロールする手段が、前記反応層をカバーする拡散バリア層を含んでいることを特徴とする請求項４記載の光記憶媒体。
【請求項６】
前記拡散バリア層の厚さが、前記限られた期間を設定するために使用されていることを特徴とする請求項５記載の光記憶媒体。
【請求項７】
前記拡散バリア層が、基板の一部を形成していることを特徴とする請求項５または６記載の光記憶媒体。
【請求項８】
前記拡散バリア層が、前記反応層の上面の少なくとも一部、および／または前記反応層の下面の少なくとも一部をカバーするように配されていることを特徴とする請求項５から７いずれか１項記載の光記憶媒体。
【請求項９】
前記コントロールする手段が、前記反応層に添加された添加物を含むことを特徴とする請求項４記載の光記憶媒体。
【請求項１０】
前記第１のデータ層の記録および／または書込みが、青色レーザーを用いて行われることを特徴とする請求項１から９いずれか１項記載の光記憶媒体。
【請求項１１】
前記第２のデータ層が、ＤＶＤ層またはＣＤ層であることを特徴とする請求項１から１０いずれか１項記載の光記憶媒体。
【請求項１２】
前記アクセスデータが、前記第１のデータ層のコンテンツにアクセスするための、コンテンツキーを含んでいることを特徴とする請求項１から１１いずれか１項記載の光記憶媒体。
【請求項１３】
光記憶媒体の第１のデータ層の一部に記憶されたデータへのアクセスとして、限られた期間のアクセスを付与する方法であって、
第２のデータ層を提供する工程と、
前記第２のデータ層へのアクセスを限られた期間に限定する手段を提供する工程と、
前記第２のデータ層に、前記第１のデータ層の前記一部へのアクセスをコントロールするアクセスデータを保存する工程とを含むことを特徴とする方法。
【発明の詳細な説明】
【技術分野】
【０００１】
本発明は、ハイブリッド光ディスクに関するものであり、特に、限られた寿命または限られた利用性を有するハイブリッド光ディスクに関するものである。
【背景技術】
【０００２】
ブルーレイディスク（ＢＤ）は、高精細ビデオ（ＨＤ）の記録、書換えならびに再生、および大量データの保存を可能とすることを主目的として開発された、次世代光ディスクフォーマットである。単層型のブルーレイディスクは２５ＧＢのデータを保持することができ、これにより、２時間分を超えるＨＤＴＶ、または１３時間分を超える標準解像度のテレビを保存することができる。二層型のブルーレイディスクは、最大５０ＧＢのデータを保持することができる。
【０００３】
ＤＶＤ、ＤＶＤ±Ｒ、ＤＶＤ±ＲＷ、ＤＶＤ−ＲＡＭおよびＣＤといったような現行の光ディスク技術は、データの読書きに赤色レーザーを使用しているが、ブルーレイフォーマットは、それに代えて青紫色のレーザーを使用しており、そのためブルーレイと名付けられている。
【０００４】
既存の光ディスクフォーマットとの後方互換性を維持するため、ＣＤ／ＤＶＤを伴うハイブリッドＢＤディスクや、ＣＤ／ＤＶＤとのイントラＢＤハイブリッド層といったような、いくつかの異なるハイブリッドディスクおよびプレーヤーが検討されている。
【０００５】
図１は、典型的なハイブリッドディスクの組合せの概要を示している。図１では、ハイブリッドディスク１は、ＢＤ層３（たとえばＢＤ−ＲＯＭ、ＢＤ−ＲまたはＢＤ−ＲＥ層）を含んでいる。ハイブリッドディスク１はまた、ＤＶＤ層５（たとえばＤＶＤ−ＲＯＭ／Ｒ／ＲＷ／ＲＡＭ／±Ｒ／±ＲＷ）、およびＣＤ層７（たとえばＣＤ−ＲＯＭ／Ｒ／ＲＷ）も含んでいる。これらの層は、基板によって隔てられており、たとえばポリカーボネート層９、１１および１３によって隔てられている。ＤＶＤ層５またはＣＤ層７が省かれたディスクを含めて、多くの異なるハイブリッドディスクの組合せが可能であることを理解されたい。
【０００６】
ハイブリッドディスクの大枠の思想は、異なるタイプの情報およびコンテンツを分離することを可能にするという思想である。ハイブリッドディスク１では、動画やソフトウェアといったようなデータが、ＢＤ層３内およびＤＶＤ層５内において利用可能に提供され得る。これは、ハイブリッドディスク１は、（ＢＤ層３を用いて）次世代ＢＤプレーヤーでも、（ＤＶＤ層５を用いて）既存のＤＶＤプレーヤーでも、再生できることを意味する。同様に、このハイブリッドディスクは、ＣＤ層７に保存されている情報を用いて、従来型のＣＤプレーヤーでも使用することができる。
【０００７】
別のタイプの既知の光ディスクとして、「寿命限定」または「限定利用」型のディスクが存在する。かかるディスクの一例としては「ｅｚ−Ｄ」ディスクが挙げられる。ｅｚ−Ｄディスクは、真空密閉されたパッケージに包まれて供給され、そのパッケージが開封されると、そのディスク上のコンテンツは、限られた時間しか再生することができない。
【０００８】
ｅｚ−Ｄディスクは、反応性の染料が、ＤＶＤ層と基板（すなわちポリカーボネート層）とを結合する接着剤に混合されるという原理に基づいて、機能している。この染料は、空気に曝されると、還元状態から酸化状態へと移行する。この染料は、還元状態では透明であるが、酸化状態では、光書込みおよび光読出しに使用される波長を吸収し、それによりＤＶＤ層内のデータを読出不能とする。支配的な劣化機構は、基板を介して酸素が拡散し、反応性染料と反応するという機構である。こうして、この種のディスクは、寿命限定または限定利用型のディスクを提供し、かかるディスクは、空気に接触すると不透性となる層を、データ層に重畳することにより実現される。
【０００９】
寿命限定ディスクは、映画レンタル等の用途に適しており、その場合、顧客はガソリンスタンドやスーパーマーケット等において映画を購入し、その後にその映画を鑑賞することを選択できる。しかしながら、いったん真空シールが破かれると、寿命限定ディスクは、予め決められた再生寿命しか有さない。たとえば、ｅｚ−Ｄは、４８時間の再生寿命しか有さない。ｅｚ−Ｄディスクを店舗に返却する必要はなく、このことは、顧客は単にディスクを廃棄すればよいことを意味する。
【００１０】
上記と類似の手法によって、反応性染料または反応性試薬を、ＢＤ層３とカバー層（すなわち基板９）との間の接着層内に施すこともできよう。しかしながら、ブルーレイディスクにおいては、ＢＤ層３とカバー層９との間の接着層に対する光学的条件がより厳しく、このことは、寿命限定または限定利用型のＢＤ層を提供するための反応性染料が、通常の再生動作中において問題を生じさせ得ることを意味する。
【発明の開示】
【発明が解決しようとする課題】
【００１１】
本発明の目的は、上記で述べたような欠点を有することなく、ＢＤ層等の層上に記憶されたデータの寿命限定または限定利用を可能とするような、ハイブリッドディスクを提供することである。
【課題を解決するための手段】
【００１２】
本発明の第１の側面によれば、第１のデータ層と、限られた期間のみアクセス可能とされている第２のデータ層とを含む、光記憶媒体が提供される。この第２のデータ層は、第１のデータ層の少なくとも一部へのアクセスをコントロールするための、アクセスデータを記憶するように構成されている。
【００１３】
本発明は、第１のデータ層（たとえばブルーレイ（ＢＤ）データ層）に記憶されたデータが、限られた寿命または限られた利用性を有することを可能としながら、通常使用中におけるＢＤ層の光読出動作および／または光書込動作の品質は劣化させないという利点を有する。
【００１４】
アクセスデータは、ＢＤ層に記憶されているデータの一部のみへのアクセスをコントロールできるだけなので、寿命限定がディスクの一部のみに適用されるという利点を有する。一方、従来型のディスクは、染料が酸化されると完全に動作不能となる。
【００１５】
本発明の別の側面によれば、光記憶媒体の第１のデータ層の一部に記憶されたデータへのアクセスとして、限られた期間のアクセスを付与する方法が提供される。この方法は、第２のデータ層を提供する工程と、第２のデータ層へのアクセスを限られた期間に限定する手段を提供する工程と、第２のデータ層に、第１のデータ層の一部へのアクセスをコントロールするアクセスデータを保存する工程とを含む。
【発明を実施するための最良の形態】
【００１６】
本発明をよりよく理解させ、どのように本発明を実施できるかをより分かりやすく示すために、以下、説明のための単なる一例として、図面を参照する。
【００１７】
図２は、本発明に従う光記憶媒体２０を示している。この光記憶媒体２０は、第１のデータ層２１（たとえばＢＤデータ層）を含んでいる。加えて、光記憶媒体２０は、第２のデータ層２３（たとえばＤＶＤデータ層）も含んでいる。第２のデータ層２３は、第３の層２７を用いて基板２５に結合されている。この第３の層２７は、反応性物質と混ぜ合わされた接着剤を含んでいる。第３の層２７中の反応性物質は、第２の層２３に含まれるデータに、限られた寿命を与えるべく作用する。好ましくは、この光記憶媒体２０は、カバー層２９（たとえば第１のデータ層２１をカバーするポリカーボネート層）、および基板３１（たとえばポリカーボネート層）も含むものとされる。
【００１８】
第２の層２３（すなわち限られた寿命を有する層）は、第１のデータ層２１に含まれているデータの少なくとも一部へのアクセスをコントロールするための、アクセスデータを含んでいる。こうすることにより、アクセスデータは、第１のデータ層２１上の情報と、第２のデータ層２３上に含まれる寿命が限られた情報との間の、リンクを提供する。
【００１９】
本発明は、第２のデータ層２３（ＤＶＤデータ層）に保存されている少量のデータを用いて、第１のデータ層２１（ＢＤデータ層）に保存されている大量のデータと相互作用することができるという利点を有する。
【００２０】
上記で述べたように、好ましくは、第２のデータ層２３上に保存されているアクセスデータを用いて、第１のデータ層２１内に保存されているデータの一部のみへのアクセスを、コントロールすることができる。このことは、第１の層２１内に含まれる情報の選択された一部のみが、限られた寿命を有するようになすことができるという利点を有する。たとえば、予め決められた時間、すなわち映画が公開される時に対応する時間が経過したら、その映画の予告編をディスクから除外すること等が可能である。
【００２１】
変更形態として、第２のデータ層２３上に保存されているアクセスデータを用いて、第１のデータ層２１上に保存されている全データへのアクセスを、コントロールすることも可能である。したがって、本発明は、第１のデータ層２１内のデータの一部が限られた寿命を有するようにも、同データの全部が限られた寿命を有するようにもなすことができるという利点を有する。一方、第１の層をカバーする接着剤中に反応性物質を直接付与する従来型の方法は、常に全部のデータがアクセス不能とされることを意味する。
【００２２】
第２のデータ層２３（ＤＶＤ層）に保存されているアクセスデータは、第１のデータ層２１（ＢＤ層）のコンテンツに対する「コンテンツキー」の一形態として作用する。したがって、第１のデータ層２１と、限られた寿命を持つ第２のデータ層２３とを有するハイブリッドディスクを用いるということは、ＢＤ層の通常再生の光学特性を劣化させることなく、第１のデータ層（たとえばＢＤ−ＲＯＭ型）内に記録または保存された情報に対し、有効期限日時が付与されることを意味する。このことは、コンテンツの配給元がＢＤ層内の情報の「レンタル」を行うことを可能にする。これは、顧客が、限られた期間しか、そのコンテンツにアクセスできないことを意味する。記録可能型のＢＤ層（Ｒ型またはＲＥ型）の場合には、第２のデータ層２３中の寿命が限られたコンテンツキーは、ユーザーが、データの読出しが可能な時間を制限することにより、コンテンツを保護することを可能とする。したがって、仮にディスクがユーザーから盗まれても、ＢＤ層内のコンテンツには限られた時間しかアクセスできない。
【００２３】
ここで、第３の層２７中で用いられる反応性物質は、予め決められた時間の経過後において第２の層２３上に記憶されたデータへのアクセスを防止する効果を有するものであれば、いかなる反応性物質であってもよい点に留意されたい。かかる目的のため、様々な反応性染料および光漂白物質を用いることは、よく知られている。
【００２４】
現行では、市販のｅｚ−Ｄの寿命は、４８時間である。本発明の別の側面によれば、ディスクの寿命をコントロールまたは調整することが可能である。このコントロールまたは調整は、調整可能な寿命を経時変化機構が有するように、その経時変化機構をコントロールする手段を提供することにより実現される。
【００２５】
図３は、第２のデータ層２３の寿命を調整するための、１つの好ましい実施形態を示している。図２と同様に、光記憶媒体２０は、第１のデータ層２１（たとえばＢＤデータ層）と、第２のデータ層２３（たとえばＤＶＤデータ層）とを含んでいる。第２のデータ層２３は、第３の層２７を用いて基板２５に結合されている。この第３の層２７は、反応性物質と混ぜ合わされた接着剤を含んでいる。
【００２６】
本発明の本実施形態の特徴によれば、上記に加えて、拡散層３３が設けられている。この拡散層３３は、バリアとして作用し、第２のデータ層２３の寿命を調整するように設定することができる。たとえば、拡散層３３は、酸素の拡散または水の拡散が反応層２７に浸透することを制限するための、窒化ケイ素の層であってもよい。さらに、反応層２７の「上面」をカバーする拡散層３３に加えて、「下面」から反応層２７に浸透する酸素の拡散または水の拡散を制限するため、拡散層３５が設けられてもよい。ここで、他の可能な形態も本発明によりカバーされ、たとえば、拡散層３３を設けずに拡散層３５を設ける形態や、各拡散層が反応層２７の一部のみを覆う形態も、本発明によりカバーされることを理解されたい。後者の形態では、第２のデータ層２３の１つの部分（たとえば第１のデータ層２１へのアクセスデータを含む部分）が、第２のデータ層２３の別の部分よりも早くアクセス不能となることも可能である。
【００２７】
拡散層３３および／または３５は、空気中から経時変化層すなわち反応層２７への、酸素または水分の拡散を制限するように作用し、それにより酸素の拡散を制限する。１つの実施形態によれば、拡散層３３および／または３５の厚さを変化させることにより、寿命が調整される。換言すると、拡散層３３および／または３５の厚さが、寿命の限定された経時変化層２７に到達する酸素量または水分量をコントロールする。あるいは、接着層中の反応性添加物の量を変化させることにより、寿命を調整することも可能である。
【００２８】
上記の実施形態は、別個の拡散層３３および／または３５を有するものとして説明されてきたが、拡散層３３および／または３５は、それぞれポリカーボネート基板２５および／または３１の一部を形成していてもよい点に留意されたい。換言すると、この特定の実施形態によれば、ポリカーボネート基板の多孔率を調整して、ディスク内における酸素または水分の拡散を調整することにより、経時変化がコントロールされる。こうすると、製造時においてディスクの寿命をコントロールすることが可能である。換言すると、ひとたび特定の拡散層３３および／または３５を有するように製造されると、ディスクは固定の寿命を有することとなる（この寿命は、異なる拡散層を有するように製造された別のディスクとは、異なる寿命であってもよい）。
【００２９】
本発明のこの特徴は、ある特定の期間（たとえば数ヶ月または数年）だけソフトウェアをライセンスするといったような、新たな用途を可能とする。ライセンス期間が経過した後は、ディスク上のコンテンツはもはやアクセス不能となる。
【００３０】
本発明は、第２のデータ層２３の寿命を調整する他の方法も包含することを理解されたい。たとえば、スピンコーティングされたラッカー層を、ディスクの任意の界面（ディスクの表面であってもよい）に施してもよい。ラッカー層（たとえばスピンコーティングされたＵＶ硬化性樹脂）は、光ディスクの製造において、接着剤として、または酸素ならびに水分拡散に対するバリアとして、よく使用される。
【００３１】
上記から分かるように、ハイブリッドＢＤ／ｅｚ−Ｄ型の光記憶媒体を用いて、寿命限定型のコンテンツ頒布、および記録データの再生期間の制限が可能とされる。このハイブリッドＢＤ／ｅｚ−Ｄ型の記憶媒体を用いれば、ブルーレイ層内のコンテンツを、限られた時間だけ頒布またはレンタルすることが可能となる。たとえば、限られた寿命を有するｅｚ−Ｄ層にソフトウェアまたはコンテンツキーを保存することにより、ＢＤ層内のコンテンツの利用可能性を制限することができる。
【００３２】
ｅｚ−Ｄ層を伴う記録可能型（記録可能型または書換可能型）のハイブリッドブルーレイディスクにおいては、ユーザーは、記録されたデータに「有効期限」の日付を付与することにより、コンテンツを保護することができる。この態様は、ブルーレイ層へのアクセスが、寿命が限られたｅｚ−Ｄ層内のキーにアクセスすることによってのみ可能とされることを必要とする。たとえば、本発明は、ユーザーが記録可能型のハイブリッドディスクを購入し、真空シールを破り、特定の期間が経過した後はそのデータがアクセス不能となるように、そのハイブリッドディスク上にデータを記録することを可能とする。
【００３３】
本発明はまた、極めて機密性の高い文書のアーカイビングにも利用することができる。かかる文書は、有効期限が付されていることが多く、かかる文書の廃棄は、注意深く監視されるべきプロセスである。本発明の別の可能な用途としては、民生電子機器用のインストールソフトウェアの頒布が挙げられる。かかる用途では、ソフトウェアのインストールにそのソフトウェアが使用された後は、そのソフトウェアがアクセス不能となり、それにより後日そのソフトウェアが別の機器にインストールされることが防止される。
【００３４】
別の用途として、特定のプレーヤーでのみディスクの再生が可能とされ、外部へのレンタルまたはやりとりが行えないという保証を、コンテンツの著作者が希望する場合が挙げられる。この用途をサポートするため、ｅｚ−Ｄ層は、ＢＤ層上のコンテンツの閲覧のために必要なコンテンツキーを含むことができる。初回の再生時においては、これらのキーを、プレーヤー（ＢＤプレーヤー）にコピーすることが可能である。ある特定の時間フレーム（おそらくは短い時間フレーム）が経過した後は、ｅｚ−Ｄ層はもはや読出不能とされる。これは、ＢＤ層上のコンテンツが、そのコンテンツを解読するためのキーを保存してあるプレーヤー内のみでしか読み出せないことを意味する。これらのキーは、プレーヤー内においてフラッシュメモリ内に保存されてもよいし、何らかの別の保護された不揮発性記憶領域内に保存されてもよい。大枠の思想は、プレーヤーのローカル記憶領域内へのコピーのため限られた時間だけアクセス可能とされているデータを、第２のデータ層が含み得るという思想である。有効期限時／有効期限日に達すると、第２のデータ層の暗号化データには、その暗号化データのローカルコピーを有しているプレーヤー内部でしかアクセスできなくなる。プレーヤー内に保存されている「保護された」キーは、安全な装置を介して別の（新たな）ＢＤプレーヤーに移し替えることができ、これは要するにディスク上のコンテンツを閲覧する権利を他のプレーヤーに移譲することであるが、その場合、「古い」プレーヤーではもはやディスクの再生は不可能となる。この権利の移譲は一方向のシステムであってもよいし、ある回数等に制限されたものであってもよい。
【００３５】
ＢＤ層は、ＢＤ層自体の中に安全に保存されたキーを用いて暗号化された部分を、追加項目として含んでいてもよい。このコンテンツは、異なるプレーヤー上でも見ることができ、たとえば予告編やティーザー広告等を含み得る。これは、そのディスクを購入するよう、他の顧客も誘引し得る。この態様は、ユーザーが他の人と自由にディスクをやりとりすることを許容すると同時に、コピーによりディスクの売上げを減少させるのではなく、むしろディスクの売上げを増大させる。
【００３６】
以上、第１のデータ層のためのアクセスデータがＤＶＤ層に記憶されている例を示して、本発明を説明してきたが、このアクセスデータは、ＣＤ層に記憶されてもよい点に留意されたい。
【００３７】
また、第１のデータ層はブルーレイデータ層として説明されてきたが、この第１の層は、ＨＤ−ＤＶＤ層（または青色レーザーを用いて読出しならびに／もしくは書込みが行われる類似のデータ層）、ＤＶＤ層、またはＣＤ層といったような、何らかの他のタイプの層から構成されていてもよい。
【００３８】
さらに、ある特定の層をＢＤ層またはＤＶＤ層と呼ぶ際には、そのような呼称は、関連フォーマットにおいて反射層であるような層を指すことを理解されたい。
【００３９】
上記の好ましい実施形態は、光ディスクの様々な層に関し好ましいレイアウトを示したものであったが、これらの層は、適宜、交換されてもよいし、異なる配置とされてもよい点にも留意されたい。たとえば、上記で示した拡散バリア層３３および３５は、反応層２７の上面または下面に直接隣接して配されたものとして示されたが、拡散バリア層３５は、第２のデータ層２３の下面上に、同様に配されてもよい。これは、かかる態様でも、酸素または水分が反応層２７に到達することが制限されるからである。同様に、拡散バリア層３３は、反応層２７の上面側の、他の場所に配されてもよい。ここで「上面」との語は、レーザー源に近い側に配された面を意味し、「下面」との語は、レーザー源から離れた側に配された面を意味することを理解されたい。
【００４０】
上記に述べた実施形態は、本発明を限定するものではなく説明のためのものであり、当業者においては、特許請求の範囲による本発明の範囲から逸脱することなく、多くの変更実施形態を設計することができるであろう点に留意されたい。「含む」または「備える」との語は、請求項中に列挙されたもの以外の要素または工程の存在を排除するものではなく、「１つの」との語は、複数を排除するものではない。また、単一のプロセッサその他のユニットが、請求項に列挙された複数の機能を満足してもよい。特許請求の範囲においては、いずれの参照符号も、特許請求の範囲を限定するものと解釈されるべきではない。
【図面の簡単な説明】
【００４１】
【図１】従来型のハイブリッドディスクを示した図
【図２】本発明に従うハイブリッドディスクを示した図
【図３】本発明の別の側面に従うディスク構造を示した図
【図１】
2009516315.tif 000003
【図２】
2009516315.tif 000004
【図３】
2009516315.tif 000005
【国際調査報告】
2009516315.tif 000006
2009516315.tif 000007